【手続補正書】
【提出日】平成16年6月10日(2004.6.10)
【手続補正１】
【補正対象書類名】明細書
【補正対象項目名】特許請求の範囲
【補正方法】変更
【補正の内容】
【特許請求の範囲】
【請求項１】
配列番号１、２、３、４、５、６、７、１０、１１、１３、１４、１５、１６、１７、１８、１９、２０および２１から成る群から選択される配列を含んで成り、かつ、トロンビンもしくはプロトロンビンまたはトロンビン及びプロトロンビンの両者に結合するペプチド。
【請求項２】
配列番号１、１９、２０および２１から成る群から選択される配列を含んでなる請求項１記載のペプチド。
【請求項３】
配列番号１、１９、２０および２１から成る群から選択される配列から本質的になる請求項１記載のペプチド。
【請求項４】
請求項１記載のペプチドを含んでなる組成物。
【請求項５】
プロトロンビンおよびトロンビンから成る群から選択されるタンパク質の精製方法であって、タンパク質が基質に結合するために十分な条件下でタンパク質を含む水溶液を基質と接触させることを含んで成り、基質が支持体に結合した請求項１記載のペプチドを含んで成る方法。
【請求項６】
ペプチドが配列番号１、１９、２０および２１から成る群から選択される配列を含んでなる請求項５記載の方法。
【請求項７】
ペプチドが配列番号１、１９、２０および２１から成る群から選択される配列から本質的になる請求項５記載の方法。
【請求項８】
（Ｐ／Ｖ）ＦＰＹ（Ｇ／Ａ／Ｖ）Ｗの配列を含んでなり、かつ、トロンビンもしくはプロトロンビンまたはトロンビン及びプロトロンビンの両者に結合するペプチド。
【請求項９】
（Ｐ／Ｖ）ＦＰＹ（Ｇ／Ａ／Ｖ）Ｗの配列から本質的になる請求項８記載のペプチド。
【請求項１０】
請求項９記載のペプチドを含んでなる組成物。
【請求項１１】
プロトロンビンおよびトロンビンから成る群から選択されるタンパク質の精製方法であって、タンパク質が基質に結合するために十分な条件下でタンパク質を含む水溶液を基質と接触させることを含んで成り、基質が支持体に結合した請求項８記載のペプチドを含んで成る方法。
【手続補正２】
【補正対象書類名】明細書
【補正対象項目名】００５４
【補正方法】変更
【補正の内容】
【００５４】
【配列表】
出願人：バイエル  コーポレーション
発明の名称：プロトロンビンおよびトロンビンに結合するペプチド
整理番号：９７０５０８２
出願日：平成９年６月２４日
優先権番号：０８／６７２，８０５
優先権日：平成８年６月２８日
配列の数：２１
配列番号１：
配列の長さ：６
配列の型：アミノ酸
鎖の数：一本鎖
トポロジー：直鎖状
配列の種類：ペプチド
配列：
Ｇｌｎ  Ｌｅｕ  Ｔｒｐ  Ｇｌｙ  Ｓｅｒ  Ｈｉｓ
１                              ５
配列番号２：
配列の長さ：６
配列の型：アミノ酸
鎖の数：一本鎖
トポロジー：直鎖状
配列の種類：ペプチド
配列：
Ｐｒｏ  Ｐｈｅ  Ｐｒｏ  Ｔｙｒ  Ｇｌｙ  Ｔｒｐ
１                              ５
配列番号３：
配列の長さ：６
配列の型：アミノ酸
鎖の数：一本鎖
トポロジー：直鎖状
配列の種類：ペプチド
配列：
Ｖａｌ  Ｐｈｅ  Ｐｒｏ  Ｔｙｒ  Ｇｌｙ  Ｔｒｐ
１                              ５
配列番号４：
配列の長さ：６
配列の型：アミノ酸
鎖の数：一本鎖
トポロジー：直鎖状
配列の種類：ペプチド
配列：
Ｐｒｏ  Ｐｈｅ  Ｐｒｏ  Ｔｙｒ  Ａｌａ  Ｔｒｐ
１                              ５
配列番号５：
配列の長さ：６
配列の型：アミノ酸
鎖の数：一本鎖
トポロジー：直鎖状
配列の種類：ペプチド
配列：
Ｖａｌ  Ｐｈｅ  Ｐｒｏ  Ｔｙｒ  Ａｌａ  Ｔｒｐ
１                              ５
配列番号６：
配列の長さ：６
配列の型：アミノ酸
鎖の数：一本鎖
トポロジー：直鎖状
配列の種類：ペプチド
配列：
Ｐｒｏ  Ｐｈｅ  Ｐｒｏ  Ｔｙｒ  Ｖａｌ  Ｔｒｐ
１                              ５
配列番号７：
配列の長さ：６
配列の型：アミノ酸
鎖の数：一本鎖
トポロジー：直鎖状
配列の種類：ペプチド
配列：
Ｖａｌ  Ｐｈｅ  Ｐｒｏ  Ｔｙｒ  Ｖａｌ  Ｔｒｐ
１                              ５
配列番号８：
配列の長さ：６
配列の型：アミノ酸
鎖の数：一本鎖
トポロジー：直鎖状
配列の種類：ペプチド
配列：
Ｖａｌ  Ｔｈｒ  Ｐｒｏ  Ｐｈｅ  Ａｌａ  Ｖａｌ
１                              ５
配列番号９：
配列の長さ：６
配列の型：アミノ酸
鎖の数：一本鎖
トポロジー：直鎖状
配列の種類：ペプチド
配列：
Ｌｅｕ  Ｔｈｒ  Ｐｒｏ  Ｐｈｅ  Ａｌａ  Ｖａｌ
１                              ５
配列番号１０：
配列の長さ：６
配列の型：アミノ酸
鎖の数：一本鎖
トポロジー：直鎖状
配列の種類：ペプチド
配列：
Ｔｙｒ  Ｔｈｒ  Ｐｒｏ  Ｐｈｅ  Ａｌａ  Ｖａｌ
１                              ５
配列番号１１：
配列の長さ：６
配列の型：アミノ酸
鎖の数：一本鎖
トポロジー：直鎖状
配列の種類：ペプチド
配列：
Ｌｅｕ  Ｐｈｅ  Ａｌａ  Ｐｒｏ  Ｔｙｒ  Ｌｅｕ
１                              ５
配列番号１２：
配列の長さ：６
配列の型：アミノ酸
鎖の数：一本鎖
トポロジー：直鎖状
配列の種類：ペプチド
配列：
Ｐｒｏ  Ｐｈｅ  Ａｌａ  Ｐｒｏ  Ｔｙｒ  Ｌｅｕ
１                              ５
配列番号１３：
配列の長さ：６
配列の型：アミノ酸
鎖の数：一本鎖
トポロジー：直鎖状
配列の種類：ペプチド
配列：
Ｓｅｒ  Ｖａｌ  Ａｒｇ  Ｐｒｏ  Ｐｈｅ  Ｌｅｕ
１                              ５
配列番号１４：
配列の長さ：６
配列の型：アミノ酸
鎖の数：一本鎖
トポロジー：直鎖状
配列の種類：ペプチド
配列：
Ｐｈｅ  Ｇｌｕ  Ｐｒｏ  Ａｌａ  Ａｓｎ  Ｐｒｏ
１                              ５
配列番号１５：
配列の長さ：６
配列の型：アミノ酸
鎖の数：一本鎖
トポロジー：直鎖状
配列の種類：ペプチド
配列：
Ｇｌｙ  Ｐｈｅ  Ａｒｇ  Ｌｙｓ  Ｇｌｙ  Ｐｒｏ
１                              ５
配列番号１６：
配列の長さ：６
配列の型：アミノ酸
鎖の数：一本鎖
トポロジー：直鎖状
配列の種類：ペプチド
配列：
Ｇｌｙ  Ｐｈｅ  Ａｒｇ  Asn  Ｇｌｙ  Ｐｒｏ
１                              ５
配列番号１７：
配列の長さ：６
配列の型：アミノ酸
鎖の数：一本鎖
トポロジー：直鎖状
配列の種類：ペプチド
配列：
Ｇｌｕ  Ａｒｇ  Ｐｒｏ  Ｔｙｒ  Ｈｉｓ  Ｇｌｙ
１                              ５
配列番号１８：
配列の長さ：６
配列の型：アミノ酸
鎖の数：一本鎖
トポロジー：直鎖状
配列の種類：ペプチド
配列：
Ｇｌｕ  Ａｒｇ  Ｐｒｏ  Ｔｙｒ  Ｌｙｓ  Ｇｌｙ
１                              ５
配列番号１９：
配列の長さ：７
配列の型：アミノ酸
鎖の数：一本鎖
トポロジー：直鎖状
配列の種類：ペプチド
配列：
Ｔｙｒ  Ｐｈｅ  Ｐｒｏ  Ｇｌｙ  Ｐｒｏ  Ｔｙｒ  Ｌｅｕ
１                              ５
配列番号２０：
配列の長さ：７
配列の型：アミノ酸
鎖の数：一本鎖
トポロジー：直鎖状
配列の種類：ペプチド
配列：
Ａｒｇ  Ｇｌｎ  Ｌｅｕ  Ｔｒｐ  Ｇｌｙ  Ｓｅｒ  Ｈｉｓ
１                              ５
配列番号２１：
配列の長さ：７
配列の型：アミノ酸
鎖の数：一本鎖
トポロジー：直鎖状
配列の種類：ペプチド
配列：
Ｈｉｓ  Ｇｌｎ  Ｌｅｕ  Ｔｒｐ  Ｇｌｙ  Ｓｅｒ  Ｈｉｓ
１                              ５□